(57)【要約】  【課題】  ユーザが出力させたくない音声は出力させないようにする機能を有する光ディスク装置を提供する。  【解決手段】  再生が開始された後、再生音声の単語がフラッシュＲＯＭに登録されている音声無視単語であるか否かが所定時間間隔で判定され、前記再生音声の単語が音声無視単語であると判定された場合に、その単語の音声がミュートされると共に、その単語の音声がブロックされたことを表す音声ブロック表示が、ディスプレイ装置に表示される。このような処理によりユーザが不快に感じる音声を無視して再生することが可能になり、ユーザに対して不快感を与えることがなくなる。また、突然音声がミュートされたときに、その音声がブロックされたことを表す音声ブロック表示が表示されるので、ユーザは音声が無くなった原因が直ぐに分り、ユーザにとっては使い勝手が良くなる。【選択図】      図３
2006339722.tif 000002
【特許請求の範囲】
【請求項１】
光ディスクに記録された情報を再生、または光ディスクに情報を記録したり光ディスク
に記録された情報を再生したりする光ディスク装置において、音声出力したくない単語を
登録するために文字記憶手段から文字を読み出してディスプレイ装置に表示させる文字表
示処理手段と、前記音声出力したくない単語に相当する文字が前記ディスプレイ装置に表
示された文字から選択されて得た音声無視単語を音声無視単語登録手段に登録させる単語
登録手段と、光ディスクに対する再生が開始された後、再生音声の単語が前記音声無視単
語登録手段に登録されている音声無視単語であるか否かを所定時間間隔で判定する単語判
定手段と、前記再生音声の単語が音声無視単語であると判定された場合に、その単語の音
声をミュートする音声ミュート手段と、前記再生音声の単語が音声無視単語であると判定
された場合に、その単語の音声がブロックされたことを表す音声ブロック表示を前記ディ
スプレイ装置に表示させる音声ブロック表示処理手段とを有するシステムコントローラを
備えたことを特徴とする光ディスク装置。
【請求項２】
光ディスクに記録された情報を再生、または光ディスクに情報を記録したり光ディスク
に記録された情報を再生したりする光ディスク装置において、光ディスクに対する再生が
開始された後、再生音声の単語が、予め登録されている音声無視単語であると判定された
場合に、その単語の音声をミュートすると共に、その単語の音声がブロックされたことを
表す音声ブロック表示をディスプレイ装置に表示させる制御を行うシステムコントローラ
を備えたことを特徴とする光ディスク装置。
【請求項３】
前記音声無視単語の登録は、音声出力したくない単語を登録するために文字記憶手段か
ら文字を読み出してディスプレイ装置に表示させ、前記音声出力したくない単語に相当す
る文字から得た単語を前記音声無視単語として音声無視単語登録手段に登録させることに
より行うことを特徴とする請求項２に記載の光ディスク装置。
【請求項４】
前記システムコントローラは、音声出力したくない単語を登録するために文字記憶手段
から文字を読み出してディスプレイ装置に表示させる文字表示処理手段と、前記音声出力
したくない単語に相当する文字が前記ディスプレイ装置に表示された文字から選択されて
得た音声無視単語を音声無視単語登録手段に登録させる単語登録手段と、光ディスクに対
する再生が開始された後、再生音声の単語が前記音声無視単語登録手段に登録されている
音声無視単語であるか否かを所定時間間隔で判定する単語判定手段と、前記再生音声の単
語が音声無視単語であると判定された場合に、その単語の音声をミュートする音声ミュー
ト手段と、前記再生音声の単語が音声無視単語であると判定された場合に、その単語の音
声がブロックされたことを表す音声ブロック表示を前記ディスプレイ装置に表示させる音
声ブロック表示処理手段とを有することを特徴とする請求項２に記載の光ディスク装置。
【発明の詳細な説明】
【技術分野】
【０００１】
本発明は、光ディスクに記録された情報を再生、または光ディスクに情報を記録したり
光ディスクに記録された情報を再生したりする光ディスク装置に関し、特に、ユーザが出
力したくない音声をミュートできる機能を有する光ディスク装置に関する。
【背景技術】
【０００２】
近年、映画等のような大量の映像音声データなどの情報を記録することができる光ディ
スクであるＤＶＤ（デジタル・バーサタイル・ディスク）が普及しつつある。ＤＶＤの種
類としては、メーカ側で情報が記録され、ユーザ側では書き換えができないＤＶＤ−ＲＯ
ＭタイプのＤＶＤ、ユーザ側で情報を１回だけ記録できるＤＶＤ−ＲタイプのＤＶＤ、ユ
ーザ側で書き換え可能なＤＶＤ−ＲＷ（ＤＶＤ−ＲＡＭ）タイプのＤＶＤなどが知られて
いる。これらのＤＶＤに記録された情報は、ＤＶＤプレイヤまたはＤＶＤレコーダで再生
可能であり、ＤＶＤ−ＲタイプのＤＶＤやＤＶＤ−ＲＷ（ＤＶＤ−ＲＡＭ）タイプのＤＶ
Ｄなどへの情報の記録は、ＤＶＤレコーダで可能である。
【０００３】
ところで、ＤＶＤ−ＲＯＭタイプのＤＶＤに記録されている映画などには、暴力シーン
やわいせつシーンなど、子供の教育上含まれている場合がある。そこで、このような教育
上問題のあるシーンについては、その再生に対して何らかの視聴制限の規制が設けられて
いる。このような規制をパレンタルと呼び、ＤＶＤには内容に応じて視聴制限を行うパレ
ンタルレベルが予め設定されている。
【０００４】
一方、ＤＶＤなどの光ディスクの情報を再生するＤＶＤプレイヤやＤＶＤレコーダなど
の光ディスク装置では、光ディスクの情報の再生を制限するパレンタル機能を有し、ユー
ザにより設定された装置のパレンタルレベルがメモリに記憶されている。装置のパレンタ
ルレベルは、ユーザが光ディスク装置のリモコンなどを操作して任意に設定できるように
なっている。また、装置のパレンタルレベルを変更するときは、例えば、ユーザが予め登
録した数桁の数列からなる暗証番号をパスワードとして装置に入力し、パレンタルロック
を解除してパレンタルレベルの変更を行っている。
【特許文献１】特開２００５−８６４８３号公報
【特許文献２】特開２００４−２５９３３５号公報
【特許文献３】特開２００４−２７４１８８号公報
【発明の開示】
【発明が解決しようとする課題】
【０００５】
上述したパレンタルレベルによる視聴制限は、あくまでも、あるシーンに対する映像お
よび音声の視聴を制限するためのものであり、視聴制限されていないシーンの中にも音声
だけが、ユーザにとって不快に感じるものがある場合がある。また、テレビ番組を記録し
た後、再生した場合、ある音声がユーザにとって不快に感じるものがある場合もある。し
かしながら、従来の光ディスク装置では、そのような不快に感じる音声も、ただ垂れ流し
しているだけで、不快な音声も出力されてしまい、ユーザに対して不快感を与えることに
なる。
【０００６】
そこで、特許文献１の従来技術では、音声情報に有害語句が含まれている場合、音声を
ミュートするようにしているので、不快な音声が出力されてしまうようなことがなくなり
、ユーザに対して不快感を与えるようなことがなくなるが、突然音声がミュートされたと
きに、音声が無くなるので、ユーザにとっては、装置に何が起きたのかが分らず、また、
音声出力系などの故障であると勘違いされ、ユーザにとっては使い勝手が悪くなるという
課題が生じる。
【０００７】
特許文献２の従来技術は、設定された再生禁止範囲では、映像表示と音声出力の停止を
行い、字幕のみを表示し、飛び越し再生の場合は、その旨を示すメッセージを表示してい
るが、設定された再生禁止範囲外に不快に感じる音声があった場合、不快な音声が出力さ
れてしまい、ユーザに対して不快感を与えることになる。また、この従来技術も、突然音
声が停止されたときに、音声が無くなるので、ユーザにとっては、装置に何が起きたのか
が分らず、また、音声出力系などの故障であると勘違いされ、ユーザにとっては使い勝手
が悪くなるという課題が生じる。
【０００８】
特許文献３の従来技術では、再生シーンが制限シーンであれば、コンテンツの音声に代
えてピープ音を出力したり、あるいは音声にミュートをかけたりしているが、制限シーン
以外に不快に感じる音声があった場合、不快な音声が出力されてしまい、ユーザに対して
不快感を与えることになる。また、この従来技術も、突然音声がミュートされたときに、
音声が無くなるので、ユーザにとっては、装置に何が起きたのかが分らず、また、音声出
力系などの故障であると勘違いされ、ユーザにとっては使い勝手が悪くなるという課題が
生じる。
【０００９】
本発明は、上記のような課題を解決するためになされたもので、ユーザが出力させたく
ない音声は出力させないようにする機能を有する光ディスク装置を提供することを目的と
する。
【課題を解決するための手段】
【００１０】
上記目的を達成するために、請求項１の発明は、音声出力したくない単語を登録するた
めに文字記憶手段から文字を読み出してディスプレイ装置に表示させる文字表示処理手段
と、前記音声出力したくない単語に相当する文字が前記ディスプレイ装置に表示された文
字から選択されて得た音声無視単語を音声無視単語登録手段に登録させる単語登録手段と
、光ディスクに対する再生が開始された後、再生音声の単語が前記音声無視単語登録手段
に登録されている音声無視単語であるか否かを所定時間間隔で判定する単語判定手段と、
前記再生音声の単語が音声無視単語であると判定された場合に、その単語の音声をミュー
トする音声ミュート手段と、前記再生音声の単語が音声無視単語であると判定された場合
に、その単語の音声がブロックされたことを表す音声ブロック表示を前記ディスプレイ装
置に表示させる音声ブロック表示処理手段とを有するシステムコントローラを備えたこと
を特徴とする光ディスク装置を提供する。
【００１１】
この構成において、音声出力したくない単語を登録する際、例えば、リモコンを操作し
て文字表示モードに設定すると、文字表示処理手段により、文字記憶手段から文字が読み
出されてディスプレイ装置に表示される。ユーザは、表示された文字の中から前記音声出
力したくない単語に相当する文字を選択する。この選択されて得た音声無視単語は、単語
登録手段により音声無視単語登録手段に登録される。
【００１２】
光ディスクに対する再生が開始された後、再生音声の単語が前記音声無視単語登録手段
に登録されている音声無視単語であるか否かが、所定時間間隔で単語判定手段により判定
され、前記再生音声の単語が音声無視単語であると判定された場合に、その単語の音声が
音声ミュート手段によりミュートされる。また、前記再生音声の単語が音声無視単語であ
ると判定された場合に、その単語の音声がブロックされたことを表す音声ブロック表示が
、音声ブロック表示処理手段によりディスプレイ装置に表示される。
【００１３】
この構成によれば、ユーザが出力させたくない音声は出力させないようにすることがで
きるので、光ディスクに記録されている音声の通りに再生するのではなく、ユーザが不快
に感じる音声を無視して再生することが可能になり、これにより、ユーザに対して不快感
を与えることがなくなる。また、突然音声がミュートされたときに、その単語の音声がブ
ロックされたことを表す音声ブロック表示が表示されるので、ユーザは音声が無くなった
原因が直ぐに分り、ユーザにとっては使い勝手が良くなる。
【００１４】
請求項２の発明は、光ディスクに対する再生が開始された後、再生音声の単語が、予め
登録されている音声無視単語であると判定された場合に、その単語の音声をミュートする
と共に、その単語の音声がブロックされたことを表す音声ブロック表示をディスプレイ装
置に表示させる制御を行うシステムコントローラを備えたことを特徴とする光ディスク装
置を提供する。
【００１５】
この構成において、光ディスクに対する再生が開始された後、再生音声の単語が、予め
登録されている音声無視単語であると判定された場合には、その単語の音声がミュートさ
れると共に、その単語の音声がブロックされたことを表す音声ブロック表示がディスプレ
イ装置に表示される。
【００１６】
この構成によれば、ユーザが出力させたくない音声は出力させないようにすることがで
きるので、光ディスクに記録されている音声の通りに再生するのではなく、ユーザが不快
に感じる音声を無視して再生することが可能になり、これにより、ユーザに対して不快感
を与えることがなくなる。また、突然音声がミュートされたときに、その単語の音声がブ
ロックされたことを表す音声ブロック表示が表示されるので、ユーザは音声が無くなった
原因が直ぐに分り、ユーザにとっては使い勝手が良くなる。
【００１７】
請求項３の発明では、請求項２の発明において、前記音声無視単語の登録は、音声出力
したくない単語を登録するために文字記憶手段から文字を読み出してディスプレイ装置に
表示させ、前記音声出力したくない単語に相当する文字から得た単語を前記音声無視単語
として音声無視単語登録手段に登録させることにより行うようにしたので、ユーザは音声
出力したくない音声無視単語を登録することが可能になる。
【００１８】
請求項４の発明では、請求項２の発明において、前記システムコントローラは、音声出
力したくない単語を登録するために文字記憶手段から文字を読み出してディスプレイ装置
に表示させる文字表示処理手段と、前記音声出力したくない単語に相当する文字が前記デ
ィスプレイ装置に表示された文字から選択されて得た音声無視単語を音声無視単語登録手
段に登録させる単語登録手段と、光ディスクに対する再生が開始された後、再生音声の単
語が前記音声無視単語登録手段に登録されている音声無視単語であるか否かを所定時間間
隔で判定する単語判定手段と、前記再生音声の単語が音声無視単語であると判定された場
合に、その単語の音声をミュートする音声ミュート手段と、前記再生音声の単語が音声無
視単語であると判定された場合に、その単語の音声がブロックされたことを表す音声ブロ
ック表示を前記ディスプレイ装置に表示させる音声ブロック表示処理手段とを有する。
【００１９】
したがって、前記システムコントローラは、文字表示処理、単語登録処理、単語判定処
理、音声ミュート処理、および音声ブロック表示処理を実現でき、これにより、ユーザが
出力させたくない音声は出力させないようにすることができ、また、単語の音声がブロッ
クされたことを表す音声ブロック表示をディスプレイ装置に表示させることができる。
【発明の効果】
【００２０】
以上のように本発明によれば、音声出力したくない単語を登録するために文字記憶手段
から文字を読み出してディスプレイ装置に表示させる文字表示処理手段と、前記音声出力
したくない単語に相当する文字が前記ディスプレイ装置に表示された文字から選択されて
得た音声無視単語を音声無視単語登録手段に登録させる単語登録手段と、光ディスクに対
する再生が開始された後、再生音声の単語が前記音声無視単語登録手段に登録されている
音声無視単語であるか否かを所定時間間隔で判定する単語判定手段と、前記再生音声の単
語が音声無視単語であると判定された場合に、その単語の音声をミュートする音声ミュー
ト手段と、前記再生音声の単語が音声無視単語であると判定された場合に、その単語の音
声がブロックされたことを表す音声ブロック表示を前記ディスプレイ装置に表示させる音
声ブロック表示処理手段とを有するシステムコントローラを備えたので、光ディスクに記
録されている音声の通りに再生するのではなく、ユーザが不快に感じる音声を無視して再
生することが可能になり、これにより、ユーザに対して不快感を与えることがなくなる。
また、突然音声がミュートされたときに、その音声がブロックされたことを表す音声ブロ
ック表示が表示されるので、ユーザは音声が無くなった原因が直ぐに分り、ユーザにとっ
ては使い勝手が良くなる。
【００２１】
また、本発明によれば、光ディスクに対する再生が開始された後、再生音声の単語が、
予め登録されている音声無視単語であると判定された場合に、その単語の音声をミュート
すると共に、その単語の音声がブロックされたことを表す音声ブロック表示をディスプレ
イ装置に表示させる制御を行うシステムコントローラを備えたので、光ディスクに記録さ
れている音声の通りに再生するのではなく、ユーザが不快に感じる音声を無視して再生す
ることが可能になり、これにより、ユーザに対して不快感を与えることがなくなる。また
、突然音声がミュートされたときに、その音声がブロックされたことを表す音声ブロック
表示が表示されるので、ユーザは音声が無くなった原因が直ぐに分り、ユーザにとっては
使い勝手が良くなる。
【発明を実施するための最良の形態】
【００２２】
以下、添付図面を参照しつつ、本発明の実施の形態について説明する。図１は本発明の
一実施形態に係る光ディスク装置としてのＤＶＤレコーダの構成を示すブロック図である
。
【００２３】
このＤＶＤレコーダは、光ディスク１を回転させるスピンドルモータ５と、光ディスク
１に対して情報の記録／再生を行うためのレーザ光を出射すると共に光ディスク１からの
反射光を受光する光ピックアップ２と、この光ピックアップ２を光ディスク１の半径方向
に移動させるためのスレッド３と、装置全体を制御するシステムコントローラ２２と、こ
のシステムコントローラ２２の指示に応じてスピンドルモータ５およびスレッド３を駆動
すると共に光ピックアップ２に内蔵された対物レンズ（図示せず）を動かすことによりレ
ーザ光の焦点位置を光ディスク１の記録面に対して垂直方向および水平方向に移動させる
制御を行うサーボ制御部４とを備えている。
【００２４】
また、このＤＶＤレコーダは、光ディスク１の再生時に光ピックアップ２からの読取信
号であるＲＦ信号を増幅するＲＦアンプ６と、このＲＦアンプ６から出力されたＲＦ信号
をデジタルデータに変換した後に光ディスク１のデータフォーマットに応じた信号復調処
理とＥＣＣエラー訂正処理を行って生成したデータをＲＡＭ７に格納するデジタル信号処
理部８と、システムコントローラ２２の指示に応じてデジタル信号処理部８から出力され
たデータストリームの中からオーディオデータとサブピクチャデータとビデオデータとを
分離するストリーム分離部９とを備えている。
【００２５】
また、このＤＶＤレコーダは、ストリーム分離部９から出力されたオーディオデータを
入力して所定のデコード処理を行うオーディオデコーダ１１と、このオーディオデコーダ
１１でのデコード処理を行うためにデータを一時的に格納するＲＡＭ１０と、ストリーム
分離部９から出力されたサブピクチャデータを入力して所定のデコード処理を行うサブピ
クチャデコーダ１３と、このサブピクチャデコーダ１３でのデコード処理を行うためにデ
ータを一時的に格納するＲＡＭ１２と、ストリーム分離部９から出力されたビデオデータ
を入力して所定のデコード処理を行うビデオデコーダ１５と、このビデオデコーダ１５で
のデコード処理を行うためにデータを一時的に格納するＲＡＭ１４とを備えている。
【００２６】
また、このＤＶＤレコーダは、システムコントローラ２２の指示に応じてビデオデコー
ダ１５から出力されたデータとサブピクチャデコーダ１３から出力されたデータとを合成
するビデオプロセッサ１７と、このビデオプロセッサ１７から出力された合成データを表
示用のビデオ信号に変換して画像をディスプレイ装置２０に表示させるビデオエンコーダ
１８と、オーディオデコーダ１１から出力されたデータをアナログのオーディオ信号に変
換して例えばスピーカ１９に供給するＤ／Ａ変換器１６とを備えている。
【００２７】
また、このＤＶＤレコーダは、システムコントローラ２２に対して赤外線信号により、
再生指示を与えるための再生キー、再生停止を指示するための停止キー、記録指示を与え
るための記録キー、および電源キーなどの各種操作キーを有するリモコン２１と、装置の
各構成要素を制御したり、装置全体を制御したりするためのプログラムやデータが記憶さ
れたフラッシュＲＯＭ２３と、このフラッシュＲＯＭ２３のプログラムやデータに従って
演算処理を行いシステムコントローラ２２を制御するＣＰＵ２４と、このＣＰＵ２４の処
理に必要なデータを一時的に格納するＲＡＭ２７とを備えている。
【００２８】
また、このＤＶＤレコーダは、図示しないテレビジョン受信機やパーソナルコンピュー
タなどから送られてきた映像音声データを光ディスク１に記録するために変調をかける記
録データ変調回路２５と、この記録データ変調回路２５により変調された変調データに基
づいて光ピックアップ２から出射するレーザ光を変調させるためのレーザ変調信号を光ピ
ックアップ２に出力するレーザ変調回路２６とを備えている。
【００２９】
システムコントローラ２２は、本実施形態の特徴とする構成要素として、音声出力した
くない単語を登録するためにフラッシュＲＯＭ（文字記憶手段）２３から文字を読み出し
てディスプレイ装置２０に表示させる文字表示処理手段２２１と、前記音声出力したくな
い単語に相当する文字がディスプレイ装置２０に表示された文字から選択されて得た音声
無視単語をフラッシュＲＯＭ（音声無視単語登録手段）２３に登録させる単語登録手段２
２２と、光ディスク１に対する再生が開始された後、再生音声の単語がフラッシュＲＯＭ
２３に登録されている音声無視単語であるか否かを所定時間間隔で判定する単語判定手段
２２３と、前記再生音声の単語が音声無視単語であると判定された場合に、その単語の音
声をミュートする音声ミュート手段２２４と、前記再生音声の単語が音声無視単語である
と判定された場合に、その単語の音声がブロックされたことを表す音声ブロック表示をデ
ィスプレイ装置２０に表示させる音声ブロック表示処理手段２２５とを有する。
【００３０】
図２は本実施形態において音声無視単語を登録する処理を説明するためのフローチャー
トである。このフローチャートおよび図１を参照して音声無視単語を登録する処理につい
て説明する。
【００３１】
音声出力したくない単語を登録する際、例えば、リモコン２１を操作して、システムコ
ントローラ２２を文字表示モードに設定すると、システムコントローラ２２の文字表示処
理手段２２１は、フラッシュＲＯＭ２３から文字データを読み出し（ステップＳ１）、こ
の文字データをビデオエンコーダ１８により表示用のビデオ信号に変換し、例えば、図４
に示すように「あいうえお  かきくけこ  さしすせそ  ・・・」というように文字をディ
スプレイ装置２０に表示する（Ｓ２）。ユーザは、リモコン２１を操作して、ディスプレ
イ装置２０に表示された文字の中から音声出力したくない単語（音声無視単語）に相当す
る文字を図示しないカーソル（ディスプレイ装置２０の画面上のカーソル）で選択し、こ
の選択された文字が音声無視単語としてＯＫならば、リモコン２１の決定キーを操作して
決定処理を行う。これに応答して、システムコントローラ２２の単語登録手段２２２は、
決定された音声無視単語をフラッシュＲＯＭ２３に登録する。
【００３２】
図３は本実施形態において再生が開始してからの音声出力をするか否かの制御を行うた
めの処理を説明するためのフローチャートである。このフローチャートおよび図１を参照
して再生が開始してからの音声出力をするか否かの制御を行うための処理について説明す
る。
【００３３】
このＤＶＤレコーダに再生したい光ディスク１を挿入すると、システムコントローラ２
２は、その光ディスク１が挿入されたことを検出する（ステップＮ１）。この後、リモコ
ン２１の再生キーが押下されると、システムコントローラ２２は、再生キーの押下を検出
し（ステップＮ２）、装置を再生モードにして光ディスク１の情報を再生させる（ステッ
プＮ３）。
【００３４】
これにより、光ピックアップ２により光ディスク１の映像音声信号（ＲＦ信号）が、読
み出されてＲＦアンプ６で増幅され、更にデジタル信号処理部８でデジタルデータに変換
された後、光ディスク１のデータフォーマットに応じた信号復調処理とＥＣＣエラー訂正
処理が行われ、映像音声データが生成され、ストリーム分離部９に与えられる。
【００３５】
そして、ストリーム分離部９で分離された音声データ（オーディオデータ）はオーディ
オデコーダ１１に与えられてデコードされ、このデコードされた音声データはＤ／Ａ変換
器１６でアナログの音声信号に変換されてスピーカ１９により音声化されるが、システム
コントローラ２２の単語判定手段２２３は、再生音声の単語がフラッシュＲＯＭ２３に登
録されている音声無視単語であるか否かを所定時間間隔で判定する（ステップＮ４）。即
ち、単語判定手段２２３は、例えば、オーディオデコーダ１１からの音声データの単語デ
ータとフラッシュＲＯＭ２３に登録されている音声無視単語の単語データとを所定時間間
隔で比較し、前記音声データの単語データが前記音声無視単語の単語データと一致するか
否かを判定する。
【００３６】
前記再生音声の単語が音声無視単語であると判定された場合に、システムコントローラ
２２の音声ミュート手段２２４は、その音声無視単語の音声をミュートする（ステップＮ
５）。即ち、音声ミュート手段２２４は、その音声無視単語の音声がスピーカ１９から出
力しないように、例えば、Ｄ／Ａ変換器１６の出力や、図示しない音声回路の出力などを
一時的あるいは一瞬停止させる。
【００３７】
また、前記再生音声の単語が音声無視単語であると判定された場合に、システムコント
ローラ２２の音声ブロック表示処理手段２２５は、その音声無視単語の音声がブロックさ
れたことを表す音声ブロック表示、例えば、図５に示すような「音声ブロック」の表示を
ディスプレイ装置２０に表示させる（ステップＮ５）。即ち、音声ブロック表示処理手段
２２５は、前記再生音声の単語が音声無視単語であると判定された場合に、フラッシュＲ
ＯＭ２３に予め記憶されている「音声ブロック」という文字データを読み出し、ビデオエ
ンコーダ１８で表示用のビデオデータに変換し、ディスプレイ装置２０に「音声ブロック
」という表示を行う。
【００３８】
ステップＮ３〜ステップＮ５の処理は、再生が終了するまで行われ、再生が終了すると
（ステップＮ６）、本処理（再生が開始してからの音声出力をするか否かの制御を行うた
めの処理）を終える。
【００３９】
以上説明したように本実施形態によれば、ユーザが出力させたくない音声は出力させな
いようにすることができるので、光ディスクに記録されている音声の通りに再生するので
はなく、ユーザが不快に感じる音声を無視して再生することが可能になり、これにより、
ユーザに対して不快感を与えることがなくなる。また、突然音声がミュートされたときに
、その音声がブロックされたことを表す音声ブロック表示が表示されるので、ユーザは音
声が無くなった原因が直ぐに分り、ユーザにとっては使い勝手が良くなる。
【００４０】
なお、上記実施形態では、光ディスク装置としてのＤＶＤレコーダにおいて、再生が開
始してからの音声出力をするか否かの制御を行うための処理について説明したが、これに
限らず、光ディスク装置としてのＤＶＤプレイヤにおいても、同様な処理を適用できるの
は言うまでもない。
【図面の簡単な説明】
【００４１】
【図１】本発明の一実施形態に係る光ディスク装置としてのＤＶＤレコーダの構成を示すブロック図である。
【図２】前記実施形態において音声無視単語を登録する処理を説明するためのフローチャートである。
【図３】前記実施形態において再生が開始してからの音声出力をするか否かの制御を行うための処理を説明するためのフローチャートである。
【図４】前記実施形態において音声出力したくない単語を登録するためにディスプレイ装置に文字が表示されている状態を示す図である。
【図５】前記実施形態において音声無視単語の音声がブロックされていることを表す音声ブロック表示がディスプレイ装置に表示されている状態を示す図である。
【符号の説明】
【００４２】
１    光ディスク
２０    ディスプレイ装置
２２    システムコントローラ
２３    フラッシュＲＯＭ（文字記憶手段、音声無視単語登録手段）
２２１    文字表示処理手段
２２２    単語登録手段
２２３    単語判定手段
２２４    音声ミュート手段
２２５    音声ブロック表示処理手段
【図１】
2006339722.tif 000003
【図２】
2006339722.tif 000004
【図３】
2006339722.tif 000005
【図４】
2006339722.tif 000006
【図５】
2006339722.tif 000007